(57)【要約】【課題】  加熱調理器のロースター部を構成するグリルドアをシステムキッチンの引き出しパネル等と調和させ、システムキッチンにさりげなく溶け込むことができるようにする。【解決手段】  本体の上面に設けられたプレートと、前記プレートの下方設けられた加熱コイル部と、前記加熱コイル部の下方であって前記本体の一側に設けられ、前記本体の前面に設けられたドア部と共に前記本体の奥行き方向に移動する皿とを有する加熱調理庫と、前記加熱調理庫とは反対側の前面に設けられた操作部パネル部と、を備え、前記ドア部は、前記加熱調理庫の前面開口部全体を塞ぐガラス板と、少なくとも前記ガラス板の上面及び左右側面を支持するガラス支持枠と、前記ガラス板に設けられた貫通穴を通して前記ガラス支持枠と係合する取付け軸を有するガラス板係止部と、を有する。【選択図】図２
2007078296.tif 000002
【特許請求の範囲】
【請求項１】
本体の上面に設けられたプレートと、前記プレートの下方設けられた加熱コイル部と、前記加熱コイル部の下方に設けられ、前記本体の前面に設けられたドア部と前記本体の奥行き方向に移動する皿とを有する加熱調理庫と、を備え、前記ドア部は、前記加熱調理庫の前面に設けられたガラス板と、少なくとも前記ガラス板の上面及び左右側面を支持するガラス支持枠と、前記ガラス板に設けられた貫通穴を通して前記ガラス支持枠と係合する係合部を有するガラス板係止部と、を有する加熱調理器。
【請求項２】
請求項１記載の加熱調理器において、前記ガラス支持枠の上面と下面を樹脂製のガラス上カバーとガラス下カバーで覆う請求項１記載の加熱調理器。
【請求項３】
請求項１記載の加熱調理器において、前記ガラス板係止部は、ハンドル部を有する加熱調理器。
【発明の詳細な説明】
【技術分野】
【０００１】
本発明は、加熱コイル部と、この加熱部の下方であって本体の左右いずれか一側に設けられた加熱調理庫とを備えた誘導加熱調理器に関するものである。
【背景技術】
【０００２】
従来のこの種の加熱調理器を図５に従って説明する。
【０００３】
図５は従来の組込式誘導加熱調理器の外観図を示す。
【０００４】
図において、１は加熱調理器を組み込むためのシステムキッチンである。
【０００５】
２は加熱調理器の本体で、システムキッチン１の天板開口穴（図示せず）の中に上面から挿入され、該システムキッチン１の天板部にその外周縁部が吊り下がる様に設置されており、設置後は前面の左右に配置した後記するロースター部４の前面及び操作部パネル５がシステムキッチン１の前面開口穴１ａに臨み、本体２の前面から操作できるようになっている。
【０００６】
３は耐熱ガラス等からなるプレートで、本体２の上面に配置され、調理用の容器（図示せず）を載置する。
【０００７】
６は加熱コイル等よりなる加熱部で、本体２内の上部左右に配置され、プレート３によって覆われている。
【０００８】
４はロースター部で、加熱部６の下方で本体２の左側（右側でもよい）に配置され、内部にロースターヒータや受け皿、受け皿内に載置される焼網（いずれも図示せず）等を備え、前面開口部に上部がガラス板４ａ１で構成され、下部がハンドル４ａ２で構成されたロースタードア４ａを備えている。
【０００９】
５は下部を支点として開閉自在の操作部パネルで、ロースター部４の横で本体２の右側（左側でもよい）前面に配置され、加熱部６及びロースター部４の電源の入り切りや加熱の設定等を行うものである。
【００１０】
上記のような構成の従来例として、特許文献１に開示された例がある。
【００１１】
【特許文献１】特開平２００３−１９００２４号公報
【発明の開示】
【発明が解決しようとする課題】
【００１２】
前述したように、従来の加熱調理器は、本体２の前面にロースター部４のロースタードア４ａと、開閉自在の操作部パネル５を左右に並べて配置する構成となっている。
【００１３】
このため、システムキッチン１を正面から見た場合、操作部パネル５は、その操作面が本体２内に収納されて前面がフラットな面となり、スッキリした外観となっているが、ロースタードア４ａは上部がガラス板４ａ１で構成され、下部がロースターハンドル４ａ２で構成される二分割構成であるため、スッキリとした外観にならず、キッチントータルの美観を損ねるものとなっていた。
【００１４】
特に、近年は、上記した加熱調理器を設置するシステムキッチンが、会話を楽しみながら調理する等の住環境の変化から、システムキッチンをオープンにして見せるようになり、システムキッチンとクッキングヒータの調和が求められるようになってきており、上記したように、ロースタードア４ａが上部のガラス４ａ１と下部のロースターハンドル４ａ２で構成される二分割構成では、操作部パネル５やシステムキッチンの引き出しパネル（図示せず）との調和が取りづらいものであった。
【課題を解決するための手段】
【００１５】
上記の課題を解決するために、本発明の加熱調理器は、本体の上面に設けられたプレートと、前記プレートの下方設けられた加熱コイル部と、前記加熱コイル部の下方であって前記本体の一側に設けられ、前記本体の前面に設けられたドア部と共に前記本体の奥行き方向に移動する皿とを有する加熱調理庫と、前記加熱調理庫とは反対側の前面に設けられた操作部パネル部と、を備え、前記ドア部は、前記加熱調理庫の前面開口部全体を塞ぐガラス板と、少なくとも前記ガラス板の上面及び左右側面を支持するガラス支持枠と、前記ガラス板に設けられた貫通穴を通して前記ガラス支持枠と係合する取付け軸を有するガラス板係止部と、を有するものである。
【００１６】
また、上記構成に加えて、本発明の加熱調理器は、前記ガラス支持枠の上面と下面を樹脂製のガラス上カバーとガラス下カバーで覆うようにしてもよい。
【００１７】
さらにまた、上記構成に加えて、本発明の加熱調理器は、前記ガラス板係止部にハンドル部を有するようにしてもよい。
【発明の効果】
【００１８】
本発明の請求項１によれば、加熱調理庫の前面開口部を塞ぐドア部全体をガラス板で構成し、ガラス板にガラス板を貫通する取付け部を有するガラス板係止部を備えた構成とすることにより、加熱調理部の前面がスッキリとした外観になり、操作パネルやシステムキッチンの引き出しパネルとの調和を図ることができ、システムキッチンの美観を向上させ、近年の住環境の変化に対応した製品を提供することができる。
【００１９】
また、ガラス板の少なくとも上面及び左右側面をガラス支持枠で支持し、取付け軸をガラス板に設けた貫通穴を貫通してガラス支持枠に一体的に固定する構造であるため、ガラス板の上面、左右側面及び貫通穴部の割れを防止することができ、これによって、ガラス板の面積拡大を可能にすることができる。
【００２０】
また、請求項２によれば、加熱調理庫の受け皿を加熱室内に出し入れする際に、使用者の手が触れやすいガラス支持枠の上面と下面を樹脂製のカバーで覆うため、火傷等することがなくなり、安全である。
【発明を実施するための最良の形態】
【００２１】
以下、本発明の一実施例を添付図面に従って説明する。
【００２２】
図面は、本発明の一実施例を示すものであり、図１は加熱調理器の組み込み要領図、図２はロースター部の正面図、図３はロースタードア部の分解斜視図、図４はロースター部の主要部品の斜視図である。
【００２３】
図において、１は加熱調理器を組み込むためのシステムキッチンである。
【００２４】
２は加熱調理器の本体で、システムキッチン１の天板開口穴（図示せず）の中に上面から挿入され、該システムキッチン１の天板部にその外周縁部が吊り下がる様に設置されており、設置後は前面の左右に配置した後記するロースター部４の前面及び操作部パネル５がシステムキッチン１の前面開口穴１ａに臨み、本体２の前面から操作できるようになっている。
【００２５】
耐熱ガラス等からなるプレート３は、本体２の上面に配置され、調理用の容器（図示せず）を載置する。
【００２６】
加熱コイル等よりなる加熱部６は、本体２内の上部左右に配置され、プレート３によって覆われている。
【００２７】
加熱調理庫として利用されるロースター部４はで、加熱部６の下方で本体２の左側（右側でもよい）に配置されており、内部にロースター庫（図示せず）を形成し、その上下又は上部にロースターヒータ（図示せず）他を備えている。
【００２８】
さらに、このロースター部４の詳細な構成を図２、図３及び図４により説明すると、７は受け皿、８は受け皿７内に載置される魚等の調理物を載せる焼き網、９はロースター部４の前面開口部を塞ぐロースタードアである。
【００２９】
このロースタードア９は、図３に示すようにロースター部４の前面開口部全体を塞ぐ透明なガラス板１０と、このガラス板１０の背面にロースター庫内の覗き窓部１１を除いて貼り付けた化粧シール１２と、ガラス板１０の上下面及び左右側面を背面側から支持する金属製のガラス支持枠１３と、ガラス板１０の前面下部に直接取り付けられガラス板１０を係止する係止部である横長の樹脂製ハンドル１４とで構成されている。
【００３０】
そして、ハンドル１４の背面中央及び左右には、ガラス支持枠１３と係合する契合部となる取付け軸１５を一体に突出成形し、この取付け軸１５と対向したガラス板１０の下部には貫通穴１６を設け、この貫通穴１６と対向したガラス支持枠１３には中央に螺子穴１７ａを有する台座部１７を形成しており、ハンドル１４の取付け軸１５をガラス板１０の貫通穴１６を貫通してガラス支持枠１３の台座部１７に当接し、ガラス支持枠１３の背面側の螺子穴１７ａと取付け軸１５に螺子１８をねじ込み、ハンドル１４とガラス板１４とガラス支持枠１３とを一体的に固定している。
【００３１】
樹脂製のガラス上カバー１９は、ガラス支持枠１３の上面に凹凸による嵌合等によって取り付けられ、使用者がガラス支持枠１３の上面に手を触れて火傷しないようにしている。
【００３２】
同じく樹脂製のガラス下カバー２０は、略中間部に受け皿７側に延びる火傷防止板部２０ａを一体成形しており、使用者がガラス支持枠１３の下面やその下面から受け皿７側に手を差し込んで火傷するのを防止している。なお、このガラス下カバー２０はガラス板１０の下面を支持することもでき、この場合には、ガラス支持枠１３の下面でガラス板１０を支持する必要はない。
【００３３】
ガラス支持枠１３の背面下部側に設けられた連結具２１、２２は、図４に示すように、この連結具２１、２２を介してロースタードア９は受け皿７に連結されている。なお、このロースタードア９と受け皿７の連結は、凹凸の組み合わせや取り付け部材と螺子の組み合わせ等公知の手段により連結することができる。
【００３４】
次に上記の構成において、ロースター部４の魚焼き動作について簡単に説明する。
【００３５】
使用者がロースター部４のハンドル１４を手前に引くと、ロースター庫からロースタードア９と一体の受け皿７及び受け皿７に載置された焼き網１３が手前に引き出される。
【００３６】
そこで、焼き網８上に魚等の調理物を載せ、前記と逆の操作をして受け皿７及び焼き網８をロースター庫内に収納する。その後、操作部パネル５を開いて操作面を前面に露出させ、適宜操作ボタンを操作して調理を開始する。
【００３７】
調理が進行すると、その調理具合をロースタードア９のガラス板１０の覗き窓１１を通して確認することができる。
【００３８】
そして、調理が完了すると、再びロースタードア９のハンドル１４を手前に引いて受け皿７及び受け皿７に載置された焼き網８を手前に引き出し、調理物を取り出す。このとき、使用者の手がハンドル１４の下側から受け皿７側に入っても火傷防止板２０ａによって火傷することはない。
【００３９】
その後、前記と逆の操作をして受け皿７及び受け皿７に載置された焼き網８をロースター庫内に収納する。
【００４０】
本発明は以上の説明から明らかなように、ロースター部４の前面開口部を塞ぐロースタードア９全体をガラス板１０で構成し、ガラス板１０に樹脂製のハンドル１４を取り付けた構成としたので、ロースター部４の前面がスッキリとした外観になり、操作部パネル５やシステムキッチン１の引き出しパネルとの調和を図ることができ、システムキッチン１の美観を向上させ、近年の住環境の変化に対応した製品を提供することができる。
【００４１】
また、従来はロースタードアの前面の構成が二分割構成であったので、ガラス板の大きさがドア全体を占めるものよりも小さく、取付けに際し強度をあまり考慮しなくてよかったが、本実施例のようにガラス板１０が大きくなると、従来に比べてその強度を考慮しなくてはならない。
【００４２】
ガラス板１０の少なくとも上面及び左右側面をガラス支持枠１３で支持し、樹脂製のハンドル１４に設けた取付け軸１５をガラス板１０に設けた貫通穴１６を貫通してガラス支持枠１に一体的に固定する構造であるため、ガラス板１０の上面、左右側面及び貫通穴１６部の割れを防止することができ、これによって、ガラス板１０の面積拡大を可能にすることができる。
【００４３】
また、ロースター部４の受け皿７をロースター庫内に出し入れする際に、使用者の手が触れやすいガラス支持枠１３の上面と下面を樹脂製のガラス上カバー１９、ガラス下カバー２０で覆うため、火傷等することがなくなり、安全である。
【図面の簡単な説明】
【００４４】
【図１】本発明の加熱調理器の組み込み要領図である。
【図２】同ロースタードア部の正面図である。
【図３】同ロースタードア部の分解斜視図である。
【図４】同ロースター部の主要部品の斜視図である。
【図５】従来の加熱調理器の組み込み要領図である。
【符号の説明】
【００４５】
１    システムキッチン
２    本体
３    トッププレート
４    ロースター部
７    受け皿
８    焼き網
９    ロースタードア
１０    ガラス板
１３    ガラス支持枠
１４    ハンドル
１５    取り付け軸
１６    貫通穴
１９    ガラス上カバー
２０    ガラス下カバー
【図１】
2007078296.tif 000003
【図２】
2007078296.tif 000004
【図３】
2007078296.tif 000005
【図４】
2007078296.tif 000006
【図５】
2007078296.tif 000007